(57)【要約】【課題】眼鏡用ばね付きピン継手の全長を短くする。【解決手段】継手ピン（３）により互いに結合される２つのピン継手部分（１，２）及びコイルばね（１４）を持つ眼鏡用ばね付きピン継手であって、ピン継手部分（１，２）の一方（１）が他方のピン継手部分（２）用の支持二又片（４）を形成し、他方のピン継手部分（２）が、滑り片（６）によりハウジング（７）内に移動可能に案内され、コイルばね（１４）が、一方では滑り片（６）の橋絡辺（８）に支持され、他方ではハウジング（７）に固定した支持体（１３）に支持され、支持体（１３）が、他方のピン継手部分（２）にある貫通口（１６）を通ってコイルばね（１４）に対して同軸的な滑り片（６）と共にハウジング（７）へ挿入されているものにおいて、支持体（１３）がコイルばね（１４）のピン継手側端部を受入れるスリーブ（１５）を含み、スリーブ（１５）がハウジング（７）から継手ピン（３）の範囲へ突出している。【選択図】図２
2012163962.tif 000002
【特許請求の範囲】
【請求項１】
継手ピン（３）により互いに結合される２つのピン継手部分（１，２）及びコイルばね（１４）を持つ眼鏡用ばね付きピン継手であって、ピン継手部分（１，２）の一方（１）が他方のピン継手部分（２）用の支持二又片（４）を形成し、他方のピン継手部分（２）が、滑り片（６）によりハウジング（７）内に移動可能に案内され、コイルばね（１４）が、一方では滑り片（６）の橋絡辺（８）に支持され、他方ではハウジング（７）に固定した支持体（１３）に支持され、支持体（１３）が、他方のピン継手部分（２）にある貫通口（１６）を通ってコイルばね（１４）に対して同軸的な滑り片（６）と共にハウジング（７）へ挿入されているものにおいて、支持体（１３）がコイルばね（１４）のピン継手側端部を受入れるスリーブ（１５）を含み、スリーブ（１５）がハウジング（７）から継手ピン（３）の範囲へ突出していることを特徴とする、ばね付きピン継手。
【請求項２】
支持体（１３）のスリーブ（１５）が、継手ピン（３）を形成する２つの軸頚（１７）の間の範囲へ突出していることを特徴とする、請求項１に記載のばね付きピン継手。
【請求項３】
継手ピン（３）を形成する両方の軸頚（１７）が、ピン継手部分（２）において滑り片（６）により軸線方向に移動可能に支持され、ばね力に抗して押込まれる組立て位置へ互いに対向して移動可能であることを特徴とする、請求項２に記載のばね付きピン継手。
【請求項４】
支持体（１３）のスリーブ（１５）が、コイルばね（１４）に対して同軸的なハウジング（７）の雌ねじ（１２）へねじ込み可能であることを特徴とする、請求項１〜３の１つに記載のばね付きピン継手。
【発明の詳細な説明】
【技術分野】
【０００１】  本発明は、継手ピンにより互いに結合される２つのピン継手部分及びコイルばねを持つ眼鏡用ばね付きピン継手であって、ピン継手部分の一方が他方のピン継手部分用の支持二又片を形成し、他方のピン継手部分が、滑り片によりハウジング内に移動可能に案内され、コイルばねが、一方では滑り片の橋絡辺に支持され、他方ではハウジングに固定した支持体に支持され、支持体が、他方のピン継手部分にある貫通口を通ってコイルばねに対して同軸的な滑り片と共にハウジングへ挿入されているものに関する。
【背景技術】
【０００２】  ばね付きピン継手において、簡単な組立て条件を保証するため、弦側のピン継手部分に、ハウジング凹所へはまる滑り片を設けることが公知であり（オーストリア特許第５０２１９６号明細書）、滑り片が２つの脚辺の間にコイルばねを受入れ、コイルばねが、一方では両辺の脚辺を結合する橋絡辺に支持され、他方ではコイルばねに対して同軸的なハウジングの雌ねじへねじ込まれる支持体に支持され、しかも弦側のピン継手部分の同軸的な貫通口を通って支持される。このような構造は、周方向に閉じられたハウジングに対して有利な前提条件を示し、このハウジングは端面から眼鏡の弦へ容易に挿入可能である。しかし他のばね付きピン継手におけるように、比較的大きい全長が生じる。なぜならば、特定の最小長さを持つコイルばねを、ピン継手側の支持体と共にハウジングに収容せねばならないからである。
【発明の概要】
【発明が解決しようとする課題】
【０００３】  従って本発明の基礎になっている課題は、滑り片に作用するコイルばねの十分な伸縮行程を断念することなく、全長を著しく短縮できるようにばね付きピン継手を構成することである。
【課題を解決するための手段】
【０００４】  最初にあげた種類のばね付きピン継手から出発して、本発明は、支持体がコイルばねのピン継手側端部を受入れるスリーブを含み、スリーブがハウジングから継手ピンの範囲へ突出しているによって、与えられた課題を解決する。【０００５】  継手ピンの方へハウジングから突出するスリーブ状支持体によって、滑り片に作用するコイルばねを収容するための付加的な空間がハウジング外に形成されるので、今やコイルばねの一部のみを収容すればよいハウジングを、それに応じて一層短くすることができる。このための前提条件は、継手ピンが支持体のこの移動の邪魔にならないことである。このため継手ピンが、突出する支持体の範囲で中断されるので、なるべく２つの側方軸頚が生じ、これらの軸頚の間に支持体のスリーブ用の場所が残る。しかし１つの側方軸頚のみを継手ピンとして設けることも考えられる。提案される手段によって、コイルばねのピン継手側支持個所がハウジングの前へ移されるので、ばね付きピン継手の機能は、特に滑り片を持つピン継手部分の可能な移動行程に関して、提案される手段によって影響を受けない。【０００６】  滑り片を持つピン継手部分を簡単に他方のピン継手部分の支持二又片へ挿入できるようにするため、継手ピンを形成する両方の軸頚が、ピン継手部分において滑り片により軸線方向に移動可能に支持され、ばね力に抗して押込まれる組立位置へ互いに対向して移動可能であるので、組立てのため、中央の継手板片から突出する両方の軸頚を継手板片へ押込んで、押込まれる軸頚を越えて支持二又片を中間の継手板片上へ押し乗せればよい。軸頚が支持二又片にある支持凹所へ達すると、そのばね荷重を介して支持凹所へ押込まれ、それにより組立過程が終了する。万一の分解のために、軸頚が、支持二又片の脚辺にある適当な開口を通って、ばね力に抗して再び組立て位置へ移動可能である。【０００７】  支持体のハウジングに固定した支持は、構造的に種々のやり方で解除可能であり、ハウジングに対する支持体の移動しない支持のみが問題である。しかし支持体のスリーブが、コイルばねに対して同軸的なハウジングの雌ねじへねじ込まれると、特に簡単な構造条件が得られる。なぜならば、この場合コイルばねの移動行程を考慮する必要なしに、ハウジング内へのスリーブの一層確実で再び解消可能な拘束が保証されるからである。更にスリーブ状支持体のねじ移動により、必要な場合コイルばねの予荷重を調整することができる。【０００８】  図面には、本発明の対象が例として示されている。
【図面の簡単な説明】
【０００９】
【図１】  本発明による眼鏡用ばね付きピン継手を簡単化した縦断面図で示す。
【図２】  このばね付きピン継手を図１のＩＩ−ＩＩ線による断面図で示す。
【図３】  図２のＩＩＩ−ＩＩＩ線による断面図を示す。
【図４】  本発明によるばね付きピン継手の構造変形例の図２に相当する図を示す。
【発明を実施するための形態】
【００１０】  図１〜３によるばね付きピン継手は、継手ピン３により互いに関節結合される眼鏡の弦と弦顎片に属するピン継手部分１及び２を持っている。ピン継手部分１は支持二又片４を持ち、中間の継手板片５を生じるピン継手部分２が支持二又片４へはまっている。このピン継手部分２は、ハウジング７内に移動可能に案内されかつ橋絡辺８により互いに結合される２つの平行な脚辺９を持つ滑り片６を有する。滑り片６を移動可能に案内するハウジング凹所は、両方の脚辺９用の案内部分１０と、両方の案内部分１０を結合する橋絡辺８用開口１１から構成されている。簡単な製造のため、案内部分１０及び結合開口１１は、断面が互いに重なる穴により形成されるが、これらの穴は、案内部分１０の範囲に、断面が長方形の脚辺９を回らないように受入れる案内切欠きを持っている。
【００１１】  結合開口１１用の穴は雌ねじ１２を持ち、コイルばね１４用の支持体１３が雌ねじ１２へねじ込まれ、コイルばね１４が滑り片６の両脚辺９の間にあって、支持体１３から遠い方の端部を滑り片６の橋絡辺８に支持されるようになっている。支持体１３は、コイルばね１４の継手ピン側端部を受入れるスリーブ１５の形に構成され、スリーブ１５は、ピン継手部分２の継手板片５にあってコイルばね１４に対して同軸的な貫通口１６を通って、ハウジング７から突出し、しかも貫通口１６の範囲で中断されて２つの側方軸頚１７を形成する継手ピン３の範囲まで突出している。
【００１２】  端部を閉鎖されるスリーブ１５の底１８は、継手ピン側で適当な間隔をおいてハウジング７の前にあるので、スリーブ１５の底１８により決定されるコイルばね１４用固定支持部はハウジング７外にあり、従ってコイルばね１４の長さ又はコイルばね１４の伸縮行程へ影響を及ぼすことなく、ハウジング７は、滑り片６の移動方向においてスリーブ１５の突出量だけ短く形成可能である。滑り片６従ってピン継手部分２は、ハウジングへ完全に収容されるコイルばねを持つ従来のばね付きピン継手の場合と同じように、コイルばね１４の力に抗してハウジング７から引出し可能である。
【００１３】  支持体１３を形成するスリーブ１５を、ハウジング７の雌ねじ１２へ容易にねじ込むことができるようにするため、スリーブ１５の底１８に、操作工具を当てる切欠き１９を設けることができる。更にスリーブ１５のねじ込み深さを介して、必要な場合コイルばね１４の予荷重を調節又は変化することができる。スリーブ１５は比較的大きい長さを持っているので、適当なねじ山長さにおいて、コイルばね１４の予荷重を調節するため、このようなねじ込み移動に対して有利な構造条件が生じる。
【００１４】  図４による実施例は、図１〜３によるばね付きピン継手とは、継手ピン３の構成においてのみ相違している。なぜならば両方の軸頚１７が中間継手板片５内に軸線方向移動可能に支持され、コイルばね２０の作用を受けるので、これらの軸頚１７は、コイルばね２０の力に抗して、その突出長さだけ案内凹所２１へ押込み可能である。この組立て位置で、ばねの作用を受ける軸頚１７が支持二又片４にある支持凹所へ達してこの中へ押込まれるまで、一方のピン継手部分２の継手板片５が、他方のピン継手部分１の支持二又片４の中へ導入可能である。
【００１５】  本発明が図示した実施例に限定されないことは自明である。例えば滑り片６の２つの脚辺９の間へコイルばね１４を設けることは必ずしも必要でない。なぜならば、コイルばね１４を、継手ピン３から遠い方の端部で滑り片６に支持し、そのため滑り片６の適当な支持橋絡辺のみを必要とすることだけが重要だからである。
【図１】
2012163962.tif 000003
【図２】
2012163962.tif 000004
【図３】
2012163962.tif 000005
【図４】
2012163962.tif 000006